(57)【特許請求の範囲】
【請求項１】
洗濯機筐体と、前記洗濯機筐体の内部に配設される水槽と、前記水槽内に回転自在に配設される回転ドラムと、前記洗濯機筐体内の上部に設けられた洗剤投入装置とを備え、前記洗剤投入装置は、前記水槽と連通し上面が開放された洗剤投入部枠体と、前記洗剤投入部枠体に収納され上面が開放され洗剤を収容する洗剤収容容器と、前記洗剤投入部枠体の上部に設けられ前記洗剤収容容器に注水を行う給水部材と、前記給水部材と連通する給水弁とからなり、前記洗剤収容容器は、粉末洗剤を収容する粉末洗剤収容部を有し、前記給水部材は、前記粉末洗剤収容部に注水するための第１の給水路を有し、前記第１の給水路は、前記給水弁から前記粉末洗剤収容部の一側部近傍まで延びる第１の給水路Ａと、前記第１の給水路Ａの端部から前記粉末洗剤収容部上部の前記一側部に隣り合う両側部近傍まで延びる第１の給水路Ｂと、前記第１の給水路Ｂの両端から前記粉末洗剤収容部上部の前記一側部に隣り合う両側部近傍に沿って延びる第１の給水路Ｃとにより構成され、前記第１の給水路Ｂの底面に多数の小孔である第１の注水口を設けるとともに、第１の給水路Ｃの底面に多数の小孔である第２の注水口を設けることで、前記注水口からの水が、前記粉末洗剤収容部の前記一側部の上部および前記一側部に隣り合う両側部の上部から注水されるようにし、
前記洗剤収容容器は、前記粉末洗剤収容部に仕切壁を介して液体洗剤や液体漂白剤を投入する液体洗剤収容部をさらに有し、前記仕切壁の上面に注水用溝を設け、前記注水用溝の対向位置に前記第２の注水口を設け、前記注水用溝の対向位置に設けた前記第２の注水口から注水された水が、前記注水用溝を通り、前記粉末洗剤収容部の前方から前記粉末洗剤収容部内に注水されるようにした洗濯機。
【請求項２】
前記洗剤収容容器は、前記液体洗剤収容部に液体仕上剤を収容する液体仕上剤収容部をさらに有し、前記給水部材は、前記液体仕上剤収容部に注水するための第２の給水路をさらに有し、前記第２の給水路は、前記給水弁から前方に延びる第２の給水路Ａと、前記第１の給水路Ｂ手前で前記第１の給水路Ｂに沿って曲がる第２の給水路Ｂと、前記第２の給水路の先端から前記第１の給水路Ｂに沿って前方に延びる第２の給水路Ｃとにより構成され、前記第２の給水路Ｃの前端部分近傍の底面に、前記液体仕上剤収容部に給水するための多数の小孔である第３の注水口を形成したことを特徴とする請求項１に記載の洗濯機。
【発明の詳細な説明】
【技術分野】
【０００１】
本発明は、洗剤投入装置を備えたドラム式洗濯機に関するものである。
【背景技術】
【０００２】
従来、この種の洗剤投入装置を備えたドラム式洗濯機は、図１１、図１２に示すように構成していた（例えば、特許文献１参照）。
【０００３】
図１１は、特許文献１に記載された従来のドラム式洗濯機の本体斜視図、図１２は、同ドラム式洗濯機の洗剤投入部分の構造の斜視図である。以下、その構成について説明する。
【０００４】
ドラム式洗濯機１０１は、この洗濯機１０１の筐体１０２の上面部に洗剤収容部１２０が設けられ、前記洗剤収容部１２０は、上面部に配置された洗剤蓋１５０を上下方向に回動させて開口部１２０ａを開放すれば、洗剤や柔軟剤をそれぞれ投入可能な洗剤投入部が現れて、それぞれの洗剤を投入することができるようになっている。
【０００５】
この洗剤収容部１２０は、筐体１０２に装着される洗剤ボックス１６０と、この洗剤ボックス１６０内に着脱可能に装着された洗剤収容容器１２１と、水を洗剤収容部１２０内に供給する給水路１３１ａ，１３１ｂと、洗剤収容部１２０内の洗剤及び水を水槽１０３内に供給する給水経路１２６と、給水ユニット１６１等を有している。洗剤収容部１２０は、この洗剤収容部１２０の後側側面に連結される給水路１３１ａ，１３１ｂによって水が側方（後側側壁）から洗剤収容容器１２１内に供給される所謂側方方式の供給部である。
【先行技術文献】
【特許文献】
【０００６】
【特許文献１】特開２０１３−４８６９９号公報
【発明の概要】
【発明が解決しようとする課題】
【０００７】
このような筐体上部に位置する洗剤蓋を開閉して洗剤投入する従来の洗剤収容部の構成では、洗剤収容部に背面側からしか注水されないため、注水されない前方側に洗剤が残りやすい、もしくはそれを回避するために小さめの洗剤収容容器にせざるを得ず、洗剤が投入しづらいなどの課題を有していた。
【０００８】
本発明は従来の課題を解決するもので、洗剤が残りづらく、洗剤が投入しやすい大きめの洗剤収容容器を備えた洗濯機を提供することを目的としている。
【課題を解決するための手段】
【０００９】
上記目的を達成するために本発明のドラム式洗濯機は、洗濯機筐体と、前記洗濯機筐体の内部に配設される水槽と、前記水槽内に回転自在に配設される回転ドラムと、前記洗濯機筐体内の上部に設けられた洗剤投入装置とを備え、前記洗剤投入装置は、前記水槽と連通し上面が開放された洗剤投入部枠体と、前記洗剤投入部枠体に収納され上面が開放され洗剤を収容する洗剤収容容器と、前記洗剤投入部枠体の上部に設けられ前記洗剤収容容器に注水を行う給水部材と、前記給水部材と連通する給水弁とからなり、前記洗剤収容容器は、粉末洗剤を収容する粉末洗剤収容部を有し、前記給水部材は、前記粉末洗剤収容部に注水するための第１の給水路を有し、前記第１の給水路は、前記給水弁から前記粉末洗剤収容部の一側部近傍まで延びる第１の給水路Ａと、前記第１の給水路Ａの端部から前記粉末洗剤収容部上部の前記一側部に隣り合う両側部近傍まで延びる第１の給水路Ｂと、前記第１の給水路Ｂの両端から前記粉末洗剤収容部上部の前記一側部に隣り合う両側部近傍に沿って延びる第１の給水路Ｃとにより構成され、前記第１の給水路Ｂの底面に多数の小孔である第１の注水口を設けるとともに、第１の給水路Ｃの底面に多数の小孔である第２の注水口を設けることで、前記注水口からの水が、前記粉末洗剤収容部の前記一側部の上部および前記一側部に隣り合う両側部の上部から注水されるようにし、
前記洗剤収容容器は、前記粉末洗剤収容部に仕切壁を介して液体洗剤や液体漂白剤を投入する液体洗剤収容部をさらに有し、前記仕切壁の上面に注水用溝を設け、前記注水用溝の対向位置に前記第２の注水口を設け、前記注水用溝の対向位置に設けた前記第２の注水口から注水された水が、前記注水用溝を通り、前記粉末洗剤収容部の前方から前記粉末洗剤収容部内に注水されるようにしたことを特徴としたものである。
【００１０】
これにより、筐体上部に位置する洗剤蓋を開閉して洗剤投入する洗剤投入部の構成においても、洗剤投入部への給水を後方部および両側部からも行えるため、洗剤収容容器に洗剤が残るといった課題を解決することができる。
【発明の効果】
【００１１】
本発明のドラム式洗濯機は、洗濯機筐体上部に位置する蓋体を開閉して洗剤投入する洗剤投入装置の構成において、背面側および両側部側からも洗剤収容容器に注水を行えるため、注水後に洗剤が残るといった課題を解決することができる。
【図面の簡単な説明】
【００１２】
【図１】本発明の実施の形態１におけるドラム式洗濯機の縦断面図
【図２】同ドラム式洗濯機の上方よりの斜視図
【図３】同ドラム式洗濯機の洗剤投入装置の縦断面図
【図４】同ドラム式洗濯機の洗剤収容容器の分解斜視図
【図５】同ドラム式洗濯機の給水部材の分解斜視図
【図６】同ドラム式洗濯機の下給水部材の分解平面図
【図７】同ドラム式洗濯機の洗剤投入装置の給水の状態を示す縦断面図
【図８】同ドラム式洗濯機の洗剤投入装置の給水の状態を示す平面図
【図９】図８におけるＡ−Ａ断面図
【図１０】図８におけるＢ−Ｂ断面図
【図１１】従来のドラム式洗濯機の上方よりの斜視図
【図１２】従来のドラム式洗濯機の洗剤収容容器部分の構造の斜視図
【発明を実施するための形態】
【００１３】
第１の発明は、洗濯機筐体と、前記洗濯機筐体の内部に配設される水槽と、前記水槽内に回転自在に配設される回転ドラムと、前記洗濯機筐体内の上部に設けられた洗剤投入装置とを備え、前記洗剤投入装置は、前記水槽と連通し上面が開放された洗剤投入部枠体と、前記洗剤投入部枠体に収納され上面が開放され洗剤を収容する洗剤収容容器と、前記洗剤投入部枠体の上部に設けられ前記洗剤収容容器に注水を行う給水部材と、前記給水部材と連通する給水弁とからなり、前記洗剤収容容器は、粉末洗剤を収容する粉末洗剤収容部を有し、前記給水部材は、前記粉末洗剤収容部に注水するための第１の給水路を有し、前記第１の給水路は、前記給水弁から前記粉末洗剤収容部の一側部近傍まで延びる第１の給水路Ａと、前記第１の給水路Ａの端部から前記粉末洗剤収容部上部の前記一側部に隣り合う両側部近傍まで延びる第１の給水路Ｂと、前記第１の給水路Ｂの両端から前記粉末洗剤収容部上部の前記一側部に隣り合う両側部近傍に沿って延びる第１の給水路Ｃとにより構成され、前記第１の給水路Ｂの底面に多数の小孔である第１の注水口を設けるとともに、第１の給水路Ｃの底面に多数の小孔である第２の注水口を設けることで、前記注水口から
の水が、前記粉末洗剤収容部の前記一側部の上部および前記一側部に隣り合う両側部の上部から注水されるようにし、
前記洗剤収容容器は、前記粉末洗剤収容部に仕切壁を介して液体洗剤や液体漂白剤を投入する液体洗剤収容部をさらに有し、前記仕切壁の上面に注水用溝を設け、前記注水用溝の対向位置に前記第２の注水口を設け、前記注水用溝の対向位置に設けた前記第２の注水口から注水された水が、前記注水用溝を通り、前記粉末洗剤収容部の前方から前記粉末洗剤収容部内に注水されるようにしたことにより、筐体上部に位置する洗剤蓋を開閉して洗剤投入する洗剤投入部の構成においても、洗剤投入部への給水を後方部および両側部からも行えるため、洗剤収容容器に洗剤が残るといった課題を解決することができる。
【００１４】
また、粉末洗剤収容部の全周よりの注水が可能となり、洗剤収容容器に洗剤が残るといった課題をさらに解決することができる。
【００１５】
第２の発明は、特に、第１の発明の前記洗剤収容容器は、前記液体洗剤収容部の前方で最前部に液体仕上剤を収容する液体仕上剤収容部をさらに有し、前記給水部材は、前記液体仕上剤収容部に注水するための第２の給水路をさらに有し、前記第２の給水路は、前記給水弁から前方に延びる第２の給水路Ａと、前記第１の給水路Ｂ手前で前記第１の給水路Ｂに沿って曲がる第２の給水路Ｂと、前記第２の給水路の先端から前記第１の給水路Ｂに沿って前方に延びる第２の給水路Ｃとにより構成され、前記第２の給水路Ｃの前端部分近傍の底面に、前記液体仕上剤収容部に給水するための多数の小孔である第３の注水口を形成したことを特徴とするドラム式洗濯機としたことにより、第１の給水経路と第２の給水経路を一体で形成することができ、コンパクトで製造コストの安い洗剤投入装置を実現することができる。
【００１７】
以下、本発明の実施の形態について、図面を参照しながら説明する。また、この実施の形態によって本発明が限定されるものではない。
【００１８】
（実施の形態１）
図１は、本発明の実施の形態１におけるドラム式洗濯機の縦断面図、図２は、同ドラム式洗濯機の上方よりの斜視図、図３は、同ドラム式洗濯機の洗剤投入装置の縦断面図、図４は、同ドラム式洗濯機の洗剤収容容器の分解斜視図、図５は、同ドラム式洗濯機の給水部材の分解斜視図、図６は、同ドラム式洗濯機の下給水部材の分解平面図、図７は、同ドラム式洗濯機の洗剤投入装置の給水の状態を示す縦断面図、図８は、同ドラム式洗濯機の洗剤投入装置の給水の状態を示す平面図、図９は、図８におけるＡ−Ａ断面図、図１０は、図８におけるＢ−Ｂ断面図である。
【００１９】
図１において、ドラム式洗濯機１は、洗濯機筐体２内に図示しないサスペンション構造および防振装置６によって水槽３が宙吊り状態に配設され、水槽３内に有底円筒形に形成された回転ドラム４が配設されている。回転ドラム４は水槽３の背面側に取り付けられた図示しないモータからベルト９を経由して前記回転ドラム４に取り付けられたインペラプーリ５に動力を伝えることで前上がりに傾斜した回転軸を中心に正転及び逆転方向に回転駆動される。この洗濯機筐体２の上部には、給水弁７に接続され粉末合成洗剤、液体洗剤および液体仕上剤を収容する洗剤投入装置１０を配設している。洗剤投入装置１０は、水槽３と蛇腹ゴム体で形成された給水ホース１１により接続されている。なお、回転ドラム４の回転軸は、本実施の形態では前上がりに傾斜させているが、略水平方向であってもよ
い。
【００２０】
図２に示すように、洗濯機筐体２の天板８に設けられた略矩形の天面開口部８ａに対向して洗剤投入装置１０が設けられている。この天面開口部８ａには、後端部の軸部を中心として上下方向に回動する洗剤投入装置蓋体１２が開閉可能に設けられている。
【００２１】
洗剤投入装置１０は、上方に開口を有する有底の断面略コの字状箱体の洗剤投入部枠体４０と、洗剤を収容する洗剤収容容器２０と、給水弁７に接続され洗剤収容容器２０に給水する給水路３１が設けられた給水部材３０とで構成する。
【００２２】
給水部材３０の下方に、洗剤投入部枠体４０を配設して、この給水部材３０との間に形成された空間部４０ａに上方から取出し可能な状態で洗剤収容容器２０を収容している。また、洗剤投入部枠体４０の後方底部には、給水ホース１１を水槽３に接続配管する。
【００２３】
図３および図４に示すように、洗剤収容容器２０は、洗剤投入部枠体４０に、上方より取出し可能な状態で収容され、最後部に位置し粉末合成洗剤を収容する粉末洗剤収容部２２と、粉末洗剤収容部２２の前方に位置し液体洗剤や液体漂白剤を収容する液体洗剤収容部２３と、液体洗剤収容部２３の前方で最前部に位置し液体仕上剤を収容する液体仕上剤収容部２４が設けられる。
【００２４】
粉末洗剤収容部２２の下流側には粉末洗剤投入路２２ａが形成される。また、粉末洗剤投入路２２ａの上方には、粉末洗剤収容部２２内に、粉末洗剤を投入する際、その粉末洗剤が自然落下してしまわないように、下部に空間を設けて板状の粉末洗剤流れ止め２２ｂが形成されている。液体洗剤収容部２３の下流側外底部には液体洗剤投入路２３ａが形成される。液体仕上剤収容部２４の外底部下流側には液体仕上剤投入路２４ａが形成される。
【００２５】
液体仕上剤収容部２４の上部には、液体仕上剤収容部２４を部分的もしくは全体的に覆う収容部蓋板２５が着脱自在に設けられている。そして、液体仕上剤収容部２４の底部には、略円筒状の第２の導通路２６が上方にむけて立設されている。第１の導通路２８および導通路結合部２７は、収容部蓋板２５を第２の導通路２６に装着することで形成され、第１の導通路２８、導通路結合部２７、第２の導通路２６によって、液体仕上剤投入路２４ａが形成される。
【００２６】
粉末洗剤収容部２２や液体洗剤収容部２３や液体仕上剤収容部２４に収容された洗剤（粉末合成洗剤、液体洗剤、液体仕上剤など）は、いずれも給水弁７から給水された水に希釈されて、その洗剤液は、いずれも、粉末洗剤投入路２２ａ、液体洗剤投入路２３ａ、液体仕上剤投入路２４ａから排出され、空間部４０ａを通り、洗剤液供給路４１およびその洗剤投入部枠体４０の後方底部に接続された給水ホース１１を介して、水槽３内に流れるように構成される。
【００２７】
給水部材３０は、ポリプロピレン樹脂等で構成した上下２枚の樹脂成形板である上給水部材３０ａと下給水部材３０ｂとが熱溶着されることにより構成された給水路３１を形成する。給水路３１は、粉末洗剤収容部２２と液体洗剤収容部２３に水を供給する第１の給水路３２と、液体仕上剤収容部２４に水を供給する第２の給水路３３とから構成している。第１の給水路３２と第２の給水路３３は、上給水部材３０ａと下給水部材３０ｂにより一体に形成しているので、コンパクトで製造コストの安い給水部材を実現できる。
【００２８】
第１の給水路３２は、給水弁７から前方に延びる第１の給水路Ａ３２ａと、天面開口部８ａの後端部近傍で、第１の給水路Ａ３２ａから左右に別れる第１の給水路Ｂ３２ｂと、
その後、第１の給水路Ｂ３２ｂの両端から天面開口部８ａの両側部近傍に沿って、前方に延びる第１の給水路Ｃ３２ｃとにより構成されている。第１の給水路Ｂ３２ｂの底面には、粉末洗剤収容部２２に上方から給水するための多数の小孔である第１の注水口３４ａを形成し、第１の給水路Ｃ３２ｃの底面には、粉末洗剤収容部２２および液体洗剤収容部２３に側方から給水するための多数の小孔である第２の注水口３４ｂを形成している。
【００２９】
第２の給水路３３は、給水弁７から前方に延びる第２の給水路Ａ３３ａと、第１の給水路Ｂ３２ｂ手前で、第１の給水路Ｂ３２ｂに沿って右方向に曲がる第２の給水路Ｂ３３ｂと、第２の給水路Ｂ３３ｂの先端から第１の給水路Ｂ３２ｂの外側に沿って前方に延びる第２の給水路Ｃ３３ｃとにより構成されている。そして、第２の給水路Ｃ３３ｃの前端部分近傍の底面には、液体仕上剤収容部２４に給水するための多数の小孔である第３の注水口３４ｃを形成している。
【００３０】
そして、洗い工程時および最終前のすすぎ工程時には、第１の給水路３２から粉末洗剤収容部２２および液体洗剤収容部２３に給水される。そして、最終のすすぎ工程時には、第２の給水路３３から液体仕上剤収容部２４に給水される。
【００３１】
これより、洗剤収容容器２０への注水構成の詳細を説明する。
【００３２】
まず、洗い工程時および最終前のすすぎ工程時には、図６、図７に示すように、給水弁７からの水は、第１の給水路３２の第１の給水路Ａ３２ａを通り、第１の給水路Ｂ３２ｂに到達し、第１の給水路Ｂ３２ｂの底面に設けた第１の注水口３４ａから粉末洗剤収容部２２の後端部に設けた粉末洗剤流れ止め２２ｂ上に落下するように構成している（図７の矢印ａ）。
【００３３】
さらに、第１の給水路Ｂ３２ｂからの水は、第１の給水路Ｃ３２ｃに流れ込み、第１の給水路Ｃ３２ｃの底面に設けた第２の注水口３４ｂから放出される。このとき、図７、図８、図９の矢印ｂで示すように、第２の注水口３４ｂから放出された水は、第２の注水口３４ｂの下方で、洗剤投入部枠体４０に設けた第１の段部４２に当たり、横方向に向きを変え、第１の段部４２に沿って粉末洗剤収容部２２内および液体洗剤収容部２３内に給水される。
【００３４】
なお、洗剤投入部枠体４０の第１の段部４２の内側には、さらに段差である第２の段部４３があり、そこに洗剤収容容器２０の外周に設けたフランジ２９が乗る構成となっており、そのフランジ２９の上面を経由して洗剤収容容器２０に注水される仕組みである。
【００３５】
また、洗剤収容容器２０の粉末洗剤収容部２２と液体洗剤収容部２３との間には、仕切り用の仕切壁２１が形成されており、その仕切壁２１の上面には、注水用溝２１ａが形成されている。この注水用溝２１ａに注水する第２の注水口３４ｂには、図７、図８、図１０の矢印ｃように、注水された水が、内方に向くように、内方誘いリブ３５を設けており、注水用溝２１ａを通り、中央部近傍に設けた注水用溝壁２１ｂに当たり、粉末洗剤収容部２２側を開放するように設けられた注水用溝切欠部２１ｃから粉末洗剤収容部２２の前方より注水される構成ともなっている。
【００３６】
なお、洗剤投入部枠体４０の第１の段部４２の外側には、第１の段部４２から溢れた水を回収するための回収溝４５が形成されており、外方への水漏れを防止している。
【００３７】
この際、図７に示すように、洗剤収容容器２０の後端部は、給水部材３０の下側に潜っているが、斜め上方に持ち上げれば洗剤投入部枠体４０より取り外せるようになっており、お手入れ性も良い。
【００３８】
次に、最終のすすぎ工程時には、図６、図８に示すように、給水弁７からの水は、第２の給水路３３の第２の給水路Ａ３３ａ、第２の給水路Ｂ３３ｂ、第２の給水路Ｃ３３ｃを通り、第２の給水路Ｃ３３ｃの先端部分の底面の第３の注水口３４ｃより、図８の矢印ｄのように、液体仕上剤収容部２４に給水される。給水された水は、収容された液体仕上剤を希釈しながら、液体仕上剤投入路２４ａを通って、洗剤投入部枠体４０の空間部４０ａに放出される。給水が止まった後も、液体仕上剤投入路２４ａのサイフォン作用により、ほぼ残水なく放出することができる。
【００３９】
このように、洗剤収容容器２０の粉末洗剤収容部２２に対して、前、左右、後の全周より満遍なく水を注水する構造とすることで、上方が開放しているために、上方からの注水が難しい天板８の洗剤投入装置蓋体１２を開閉して洗剤投入する洗剤投入装置１０の構成においても、洗剤収容容器２０の粉末洗剤収容部２２に洗剤が残るといった可能性を低減できる。
【００４０】
また、洗剤収容容器２０の粉末洗剤収容部２２への注水位置が偏った構造においては、平面積の大きな洗剤収容容器２０の粉末洗剤収容部２２では、注水方向と反対側に洗剤が残りやすいため、あまり大きな洗剤収容容器２０の粉末洗剤収容部２２の設計は難しいが、本構造においては、洗剤収容容器２０の粉末洗剤収容部２２に対して、前、左右、後の全周より注水できる構造であるため、洗剤残りを気にせず、洗剤収容容器２０を大きく設計することができる。それにより、お客様の洗剤投入性を向上することができるだけでなく、洗剤が残らない性能の良い洗剤投入装置１０を実現できる。
【００４１】
なお、洗剤収容容器２０は、天面開口部８ａより上方に取出し可能な構成としたことにより、洗剤投入部枠体４０の内面や洗剤収容容器２０の内外面に洗剤がこびりついて掃除をしなければならなくなったときでも、洗剤収容容器２０を取り出すことで、洗剤投入部枠体４０の内面や洗剤収容容器２０の内外面を容易に掃除することができ、非常に利便性の高いものである。
【産業上の利用可能性】
【００４２】
以上のように、本発明にかかるドラム式洗濯機は、粉末洗剤収容部に満遍なく注水を行えるため、粉末洗剤収容部を備えたドラム式洗濯機等として有用である。
【符号の説明】
【００４３】
１  ドラム式洗濯機
２  洗濯機筐体
３  水槽
４  回転ドラム
５  インペラプーリ
６  防振装置
７  給水弁
８  天板
８ａ  天面開口部
９  ベルト
１０  洗剤投入装置
１１  給水ホース
１２  洗剤投入装置蓋体（蓋体）
２０  洗剤収容容器
２１  仕切壁
２１ａ  注水用溝
２１ｂ  注水用溝壁
２１ｃ  注水用溝切欠部
２２  粉末洗剤収容部
２２ａ  粉末洗剤投入路
２２ｂ  粉末洗剤流れ止め
２３  液体洗剤収容部
２３ａ  液体洗剤投入路
２４  液体仕上剤収容部
２４ａ  液体仕上剤投入路
２５  収容部蓋板
２６  第２の導通路
２７  導通路結合部
２８  第１の導通路
２９  フランジ
３０  給水部材
３１  給水路
３２  第１の給水路
３２ａ  第１の給水路Ａ
３２ｂ  第１の給水路Ｂ
３２ｃ  第１の給水路Ｃ
３３  第２の給水路
３３ａ  第２の給水路Ａ
３３ｂ  第２の給水路Ｂ
３３ｃ  第２の給水路Ｃ
３４ａ  第１の注水口
３４ｂ  第２の注水口
３４ｃ  第３の注水口
３５  内方誘いリブ
４０  洗剤投入部枠体
４０ａ  空間部
４１  洗剤液供給路
４２  第１の段部
４３  第２の段部
４５  回収溝
【図１】
0006427768.tif 000002
【図２】
0006427768.tif 000003
【図３】
0006427768.tif 000004
【図４】
0006427768.tif 000005
【図５】
0006427768.tif 000006
【図６】
0006427768.tif 000007
【図７】
0006427768.tif 000008
【図８】
0006427768.tif 000009
【図９】
0006427768.tif 000010
【図１０】
0006427768.tif 000011
【図１１】
0006427768.tif 000012
【図１２】
0006427768.tif 000013